(57)【要約】  装置全体を大型化することなく、画像読取装置を良好に支持することができる。  媒体に記録を実行する記録部を有する記録装置と、ヒンジ部を介して、前記記録装置の上部を開閉自在に設けられる、画像を読み取る画像読取部を有する画像読取装置と、前記画像読取装置に設けられ、当該画像読取装置が閉じた状態において、前記記録装置のハウジングに当接する第１の当接部と、前記記録装置のハウジングに設けられ、前記画像読取装置が閉じた状態において、前記第１の当接部と当接する第２の当接部と、前記記録部を保持する装置フレームに設けられ、前記第２の当接部の下部において前記記録装置のハウジングと当接する第３の当接部と、を有していることを特徴とする。
2012066758.tif 000002
【特許請求の範囲】
【請求項１】
媒体に記録を実行する記録部を有する記録装置と、
ヒンジ部を介して、前記記録装置の上部を開閉自在に設けられる、画像を読み取る画像読取部を有する画像読取装置と、
前記画像読取装置に設けられ、当該画像読取装置が閉じた状態において、前記記録装置のハウジングに当接する第１の当接部と、
前記記録装置のハウジングに設けられ、前記画像読取装置が閉じた状態において、前記第１の当接部と当接する第２の当接部と、
前記記録部を保持する装置フレームに設けられ、前記第２の当接部の下部において前記記録装置のハウジングと当接する第３の当接部と、を有していることを特徴とする複合装置。
【請求項２】
前記ハウジングは、前記記録装置の幅方向において離間して配設した２つのプレート片を備え、
前記第２の当接部は、前記２つのプレート片に対応して一対設けられ、
前記第１の当接部および前記第３の当接部は、前記一対の第２の当接部に対応して一対設けられていることを特徴とする請求項１に記載の複合装置。
【請求項３】
前記記録の実行を指示する情報入力部と、
前記装置フレームに設けられ、前記情報入力部を架け渡して、前記情報入力部を前記装置フレームに対し支持する対の支持部と、を備え、
前記第３の当接部は、前記支持部から延設された箇所に設けられることを特徴とする請求項１に記載の複合装置。
【請求項４】
前記ハウジングの第２の当接部の周囲は、当接した前記第１の当接部を囲む形状を有していることを特徴とする請求項１に記載の複合装置。
【請求項５】
前記画像読取装置は、画像を読み取るためのセンサーと、前記センサーを積載し移動するキャリッジと、を有し、
前記画像読取装置が閉じた状態において、前記第１の当接部は、前記キャリッジの移動領域の下に配設されることを特徴とする請求項１に記載の複合装置。
【請求項６】
前記キャリッジは、モーターを搭載し、当該モーターを収容する収容部を備え、前記画像読取装置が閉じた状態において、前記第１の当接部は、前記収容部の下に配設されることを特徴とする請求項５に記載の複合装置。
【請求項７】
媒体に記録を実行する記録部を有する記録装置と、
ヒンジ部を介して、前記記録装置の上部を開閉自在に設けられる、画像を読み取る画像読取部を有する画像読取装置と、
前記記録装置の前記記録部を保持する装置フレームと、
前記画像読取装置に設けられ、当該画像読取装置が閉じた状態において、前記装置フレームに当接する第４の当接部と、
前記記録装置のハウジングに設けられ、前記画像読取装置が閉じた状態において、前記第４の当接部が挿通される開口部と、
前記装置フレームに設けられ、前記第４の当接部と当接する第５の当接部と、
を有していることを特徴とする複合装置。
【請求項８】
前記ハウジングは、前記記録装置の幅方向において離間して配設した２つのプレート片を備え、
前記開口部は、前記２つのプレート片に対応して一対設けられ、
前記第４の当接部および前記第５の当接部は、前記一対の開口部に対応して一対設けられていることを特徴とする請求項７に記載の複合装置。
【請求項９】
前記記録の実行を指示する情報入力部と、
前記装置フレームに設けられ、前記情報入力部を架け渡して、前記情報入力部を前記装置フレームに対し支持する対の支持部と、を備え、
前記第５の当接部は、前記支持部から延設された箇所に設けられることを特徴とする請求項７に記載の複合装置。
【請求項１０】
前記第４の当接部と前記第５の当接部は、相補的形状に形成されていることを特徴とする請求項７に記載の複合装置。
【請求項１１】
前記画像読取装置は、画像を読み取るためのセンサーと、前記センサーを積載し移動するキャリッジと、を有し、
前記画像読取装置が閉じた状態において、前記第４の当接部は、前記キャリッジの移動領域の下に配設されることを特徴とする請求項７に記載の複合装置。
【請求項１２】
前記キャリッジは、モーターを搭載し、当該モーターを収容する収容部を備え、前記画像読取装置が閉じた状態において、前記第４の当接部は、前記収容部の下に配設されることを特徴とする請求項１１に記載の複合装置。
【発明の詳細な説明】
【技術分野】
【０００１】
本発明は、第１の装置と、第１の装置の上部を開閉自在に覆う第２の装置とを備えた複合装置に関するものである。
【背景技術】
【０００２】
従来、複合装置として、プリンターと、プリンターの上部を開閉自在に覆うスキャナーとを備えたものが知られている（特許文献１参照）。プリンターは、上面開口部を有する装置ハウジングにプリンターエンジンを収納して構成され、またスキャナーは、アッパーハウジングにスキャナーエンジンを収納して構成されている。プリンターに対しスキャナーは、ヒンジ部を介して装置ハウジングの上面開口部を開閉自在に覆っており、スキャナーを開放した状態で、上面開口部からインクカートリッジの交換等を行えるようになっている。
一方、装置ハウジングは、上面開口部を形成した上プレートに設けられた一対のシリンダーにより、閉塞状態のスキャナーを直接支持している。各シリンダーは、上プレートの溝部に収容したプッシュピンと、プッシュピンを突出方向に付勢するスプリングとを有しており、一対のプッシュピンの先端で、スキャナーの前部を支持している。
【先行技術文献】
【特許文献】
【０００３】
【特許文献１】特開２００２−１４４６７３号公報
【発明の概要】
【発明が解決しようとする課題】
【０００４】
このように従来の複合装置では、ヒンジ部を中心とするスキャナーのモーメント荷重を、一対のシリンダー（プッシュピン）を介して、装置ハウジングの上プレートで受ける（支持する）ことになる。このため、上プレートが撓み、上プレートがプリンターエンジン（内部装置）と干渉する虞がある。これに対し、撓みを許容するだけの十分なスペース（間隔）を、上プレートと内部装置との間に持たせることも考えられるが、これでは、装置全体が大型化してしまうという問題がある。【０００５】
本発明は、装置全体を大型化することなく、第２の装置を良好に支持することができる複合装置を提供することを課題としている。
【課題を解決するための手段】
【０００６】
本発明の複合装置は、媒体に記録を実行する記録部を有する記録装置と、
ヒンジ部を介して、前記記録装置の上部を開閉自在に設けられる、画像を読み取る画像読取部を有する画像読取装置と、
前記画像読取装置に設けられ、当該画像読取装置が閉じた状態において、前記記録装置のハウジングに当接する第１の当接部と、
前記記録装置のハウジングに設けられ、前記画像読取装置が閉じた状態において、前記第１の当接部と当接する第２の当接部と、
前記記録部を保持する装置フレームに設けられ、前記第２の当接部の下部において前記記録装置のハウジングと当接する第３の当接部と、を有していることを特徴とする。【０００７】
この構成によれば、記録装置のフレームにより、画像読取装置の荷重を受けることができ、記録装置のハウジングが撓むことを防止することができる。【０００８】
また、前記ハウジングは、前記記録装置の幅方向において離間して配設した２つのプレート片を備え、
前記第２の当接部は、前記２つのプレート片に対応して一対設けられ、
前記第１の当接部および前記第３の当接部は、前記一対の第２の当接部に対応して一対設けられていることが望ましい。【０００９】
この構成によれば、一方のプレート片の撓みが、他方のプレート片に伝わらないため、記録装置のハウジングが大きく撓むことを抑制することができる。【００１０】
また、前記記録の実行を指示する情報入力部と、
前記装置フレームに設けられ、前記情報入力部を架け渡して、前記情報入力部を前記装置フレームに対し支持する対の支持部と、を備え、
前記第３の当接部は、前記支持部から延設された箇所に設けられることが望ましい。【００１１】
この構成によれば、高さを有する支持部の構成を利用することで、好適に画像読取装置の荷重を受けることができる。【００１２】
また、前記ハウジングの第２の当接部の周囲は、当接した前記第１の当接部を囲む形状を有していることが望ましい。【００１３】
この構成によれば、画像読取装置の記録装置に対する前後方向および幅方向の位置ズレ（ガタつき）を防止することができる。【００１４】
また、前記画像読取装置は、画像を読み取るためのセンサーと、前記センサーを積載し移動するキャリッジと、を有し、
前記画像読取装置が閉じた状態において、前記第１の当接部は、前記キャリッジの移動領域の下に配設されることが望ましい。【００１５】
この構成によれば、画像読取装置において、最も剛性が要求される部分を直接支持することになり、画像読取手段の無用な変形を有効に防止することができる。【００１６】
また、前記キャリッジは、モーターを搭載し、当該モーターを収容する収容部を備え、前記画像読取装置が閉じた状態において、前記第１の当接部は、前記収容部の下に配設されることが望ましい。【００１７】
この構成によれば、画像読取装置において、最も重量を有し、剛性が要求される部分を直接支持することになり、画像読取手段の無用な変形を有効に防止することができる。【００１８】
本発明の複合装置は、媒体に記録を実行する記録部を有する記録装置と、
ヒンジ部を介して、前記記録装置の上部を開閉自在に設けられる、画像を読み取る画像読取部を有する画像読取装置と、
前記記録装置の前記記録部を保持する装置フレームと、
前記画像読取装置に設けられ、当該画像読取装置が閉じた状態において、前記装置フレームに当接する第４の当接部と、
前記記録装置のハウジングに設けられ、前記画像読取装置が閉じた状態において、前記第４の当接部が挿通される開口部と、
前記装置フレームに設けられ、前記第４の当接部と当接する第５の当接部と、
を有していることを特徴とする。【００１９】
この構成によれば、記録装置のフレームにより、画像読取装置の荷重を受けることができ、記録装置のハウジングが撓むことを防止することができる。【００２０】
また、前記ハウジングは、前記記録装置の幅方向において離間して配設した２つのプレート片を備え、
前記開口部は、前記２つのプレート片に対応して一対設けられ、
前記第４の当接部および前記第５の当接部は、前記一対の開口部に対応して一対設けられていることが望ましい。【００２１】
この構成によれば、一方のプレート片の撓みが、他方のプレート片に伝わらないため、記録装置のハウジングが大きく撓むことを抑制することができる。【００２２】
また、前記記録の実行を指示する情報入力部と、
前記装置フレームに設けられ、前記情報入力部を架け渡して、前記情報入力部を前記装置フレームに対し支持する対の支持部と、を備え、
前記第５の当接部は、前記支持部から延設された箇所に設けられることが望ましい。【００２３】
この構成によれば、高さを有する支持部の構成を利用することで、好適に画像読取装置の荷重を受けることができる。【００２４】
また、前記第４の当接部と前記第５の当接部は、相補的形状に形成されていることが望ましい。【００２５】
この構成によれば、画像読取装置の記録装置に対する前後方向および幅方向の位置ズレ（ガタつき）を防止することができる。【００２６】
また、前記画像読取装置は、画像を読み取るためのセンサーと、前記センサーを積載し移動するキャリッジと、を有し、
前記画像読取装置が閉じた状態において、前記第４の当接部は、前記キャリッジの移動領域の下に配設されることが望ましい。【００２７】
この構成によれば、画像読取装置において、最も剛性が要求される部分を直接支持することになり、画像読取手段の無用な変形を有効に防止することができる。【００２８】
また、前記キャリッジは、モーターを搭載し、当該モーターを収容する収容部を備え、前記画像読取装置が閉じた状態において、前記第４の当接部は、前記収容部の下に配設されることが望ましい。【００２９】
この構成によれば、画像読取装置において、最も重量を有し、剛性が要求される部分を直接支持することになり、画像読取手段の無用な変形を有効に防止することができる。
【図面の簡単な説明】
【００３０】
【図１】第１実施形態に係る複合機を示した外観斜視図である。
【図２】スキャナーユニットを開放状態とした際の複合機を示した斜視図である。
【図３】複合機を示した側面視断面図である。
【図４】スキャナーユニットの内部構造を示した斜視図である。
【図５】スキャナーユニットの上蓋を示した下面図である。
【図６】プリンターユニットの内部構造を示した平面図である。
【図７】プリンターユニットの内部構造を示した側面視断面図である。
【図８】プリンターユニットの内部構造を示した分解斜視図である。
【図９】ヒンジ部周りを示した側面視断面図である。
【図１０】スキャナーユニットの閉塞状態における着座突部周りを示した側面視断面図である。
【図１１】第２実施形態に係るスキャナーユニットを開放状態とした際の複合機を示した斜視図である。
【図１２】第２実施形態における装置フレームを示した斜視図である。
【図１３】第２実施形態における、スキャナーユニットの閉塞状態の着座突部周りを示した側面視断面図である。
【発明を実施するための形態】
【００３１】
以下、添付した図面を参照して、本発明の画像記録装置を適用した複合機（複合装置）１について説明する。図１は、複合機１を示した外観斜視図である。図１に示すように、複合機１は、装置本体であるプリンターユニット（画像記録装置：第１の装置）２と、プリンターユニット２の上部に配設されたアッパーユニットであるスキャナーユニット（画像読取装置：第２の装置）３と、を一体に備えている。なお、以下、図１においての前後方向をＸ軸方向とし、左右方向をＹ軸方向として説明する。
【００３２】
図２は、スキャナーユニット３を開放状態とした複合機１を示した斜視図である。図１および図２に示すように、スキャナーユニット３は、後端部のヒンジ部４を介してプリンターユニット２に回動自在に支持されており、プリンターユニット２の上部を開閉自在に覆っている。すなわち、スキャナーユニット３を回動方向に引き上げることで、プリンターユニット２の上面開口部１０を露出させ、当該上面開口部１０を介して、プリンターユニット２の内部が露出させる（開放状態：図２参照）。一方、スキャナーユニット３を回動方向に引き降ろし、プリンターユニット２上に載置することで、スキャナーユニット３によって上面開口部１０を閉塞する（閉塞状態：図１参照）。このように、スキャナーユニット３を開放することで、インクカートリッジ８４の交換や紙詰まりの解消等が可能な構成となっている。
【００３３】
図３は、複合機１を示した側面視断面図である。図２および図３に示すように、スキャナーユニット３は、筐体であるアッパーフレーム１１と、アッパーフレーム１１に収容された画像読取部１２（図４参照）と、アッパーフレーム１１の上部に回動自在に支持された上蓋１３と、を備えている。また、詳細は後述するが、アッパーフレーム１１の後端部には、上記ヒンジ部４のスキャナーユニット３側の部品が設けられている。
【００３４】
図４は、スキャナーユニット３の内部構造を示した斜視図である。図３および図４に示すように、アッパーフレーム１１は、画像読取部１２を収容する箱型の下ケース１６と、下ケース１６の天面を覆う上ケース１７と、を備えている。上ケース１７には、ガラス製の原稿載置板（原稿台）２１が広く配設されており、読取面を下にした読取媒体をこれに載置する。一方、下ケース１６は、上面を開放した浅い箱状に形成されている。下ケース１６の前部底面には、後述のセンサーキャリッジ３２の移動スペースとなる許容凹部２３が凹設され、後部底面には、一端が後述のセンサーユニット３１に接続されたケーブル（図示省略）を収容する収容凹部２５が凹設されている。また、許容凹部２３の下面には、スキャナーユニット３をプリンターユニット２に着座させる左右一対の着座突部２４が突設されている（詳細は後述する）。
【００３５】
図４に示すように、画像読取部１２は、ラインセンサー方式のセンサーユニット３１と、センサーユニット３１を搭載したセンサーキャリッジ３２と、Ｙ軸方向に延在し、センサーキャリッジ３２をスライド自在に支持するガイド軸３３と、センサーキャリッジ３２をガイド軸３３に沿って移動する自走式のセンサー移動機構３４と、を備えている。センサーユニット３１は、Ｘ軸方向に延在したＣＣＤ（Ｃｈａｒｇｅ  Ｃｏｕｐｌｅｄ  Ｄｅｖｉｃｅ）ラインセンサーであるイメージセンサー（センサー部）４１を有し、モーター駆動のセンサー移動機構３４により、ガイド軸３３に沿ってＹ軸方向に往復動する。これにより、原稿載置板２１上の読取部材（原稿）の画像を読み取るようになっている。なお、一対の着座突部２４は、移動するセンサーキャリッジ３２の重心軌跡の直下において、Ｙ軸方向に離間して配設されている。
【００３６】
図５は、上蓋１３を下方から見上げた下面図である。図５に示すように、上蓋１３には、原稿載置板２１に対応して配設された白色の原稿押え板５６と、原稿押え板５６に対しＹ軸方向（走査方向）に隣接して配設され、センサーユニット３１の校正基準となる校正基準器５７と、が配設されている。スキャナーユニット３の電源ＯＮ時に、センサーユニット３１を移動させて校正基準器５７を撮像することで、センサーユニット３１の白色基準校正および位置基準校正が行われる。
【００３７】
一方、図２に示すように、プリンターユニット２は、枚葉の記録媒体（印刷用紙や単票紙）を送り経路Ｒに沿って送る搬送部６１と、送り経路Ｒの上方に配設され、記録媒体にインクジェット方式で印刷処理を行う印刷部６２と、前面に配設されたパネル形式の操作部６３と、搬送部６１、印刷部６２および操作部６３を搭載した装置フレーム６４と、これらを覆う装置ハウジング６５と、を備えている。また、図示省略するが、後面下部には、ＵＳＢポートおよび電源ポートが配設されている。すなわち、複合機１は、ＵＳＢポートを介してコンピューター等に接続可能に構成されている。
【００３８】
図６は、プリンターユニット２の内部構造を示した平面図である。図７は、プリンターユニット２の内部構造を示した側面視断面図である。図２、図６および図７に示すように、印刷部６２は、装置フレーム６４に支持されると共にＹ軸方向に幅一杯に延在する板金製のガイドフレーム７１と、ガイドフレーム７１に往復動自在に支持されたキャリッジユニット７２と、キャリッジユニット７２をガイドフレーム７１に沿って往復動させるキャリッジ移動機構７３（図２参照）と、を備えている。そして、このキャリッジユニット７２に、インクジェットヘッド８３が搭載されている。
【００３９】
ガイドフレーム７１は、断面「Ｃ」字状に形成されており、その上下でキャリッジユニット７２の係合スライダー部８１ａが係合する。これにより、キャリッジユニット７２は、ガイドフレーム７１に掛け止めされるようにして片持ちで且つ延在方向（Ｙ軸方向）に往復動自在に、すなわちスライド自在に支持されている。キャリッジ移動機構７３は、ガイドフレーム７１に沿って延在するタイミングベルト７６と、タイミングベルト７６を架け渡した主動プーリー（図示省略）および従動プーリー７８と、タイミングベルト７６とキャリッジユニット７２（キャリッジ８１）とを連結する連結固定部（図示省略）と、主動プーリーを駆動するキャリッジモーター（図示省略）と、を備えている。キャリッジモーターが正逆回転すると、タイミングベルト７６を介してキャリッジユニット７２がＹ軸方向（左右方向）に往復動する。この往復動に伴って、キャリッジユニット７２のインクジェットヘッド８３が吐出駆動することにより、いわゆる主走査が行われる。
【００４０】
図６および図７に示すように、キャリッジユニット７２は、係合スライダー部８１ａを介してガイドフレーム７１に往復動自在に支持された箱状のキャリッジ８１と、キャリッジ８１の下面に一体に組み込まれたインクジェットヘッド８３と、キャリッジ８１に着脱自在に収納された４個のインクカートリッジ８４と、を備えている。インクジェットヘッド８３は、４色のインク滴を吐出する４連のノズル列（図示省略）を有しており、４色のインクを貯留する４個のインクカートリッジ８４をキャリッジ８１に装着することで、インクジェットヘッド８３に上側から直接接続される。インクジェットヘッド８３の４つのノズル列は、相互に並行に且つＸ軸方向に延在し、送られる記録媒体に対し所定のペーパーギャップを存して下向きに配設されている。
【００４１】
図７に示すように、搬送部６１は、記録媒体を右揃えでセットする可動式の用紙トレイ９１と、用紙トレイ９１から記録媒体を１枚ずつ分離して送り出す分離ローラー９２と、分離ローラー９２の下流側に位置し、記録媒体を送り経路Ｒに沿って印刷部６２に送り込む給紙ローラー９３と、給紙ローラー９３の下流側に位置し、インクジェットヘッド８３に対面する媒体規制部材（プラテンに相当する）９５と、媒体規制部材９５の下流側に位置する鋸歯状のガイドローラー９７と、ガイドローラー９７の下流側に位置し、排出口１００（図２参照）から記録媒体を送り出す排紙ローラー９６と、を備えている。
【００４２】
給紙ローラー９３は、下側の給紙駆動ローラー９３ａと上側の給紙従動ローラー９３ｂとから成るニップローラーで構成され、同様に排紙ローラー９６は、下側の排紙駆動ローラー９６ａと上側の排紙従動ローラー９６ｂとから成るニップローラーで構成されている。また、ガイドローラー９７および排紙従動ローラー９６ｂは、装置フレーム６４とは独立のローラーフレーム１１３に支持されて、ローラーアッセンブリー９９を構成している。そして、給紙ローラー９３は、記録媒体の送り（副走査）を制御するメインローラーとして機能し、排紙ローラー９６は、媒体規制部材９５の上側に位置する記録媒体に張力（ｔｅｎｓｉｏｎ）を付与するテンションローラーとして機能する。
【００４３】
分離ローラー９２により、用紙トレイ９１から送り込まれた記録媒体は、給紙ローラー９３により、媒体規制部材９５上を排紙ローラー９６に向かってＸ軸方向に間欠送りされる（副走査）。この間欠送りに同期して、キャリッジユニット７２がＸ軸方向に往復動しながらインクを選択的に吐出して（主走査）、所望の印刷が行われる。一方、媒体規制部材９５を越えてガイドローラー９７に達した記録媒体の先端は、ガイドローラー９７により上反り状態を矯正されるようにして、排紙ローラー９６に送り込まれる。このようにして、印刷が完了した記録媒体は、排紙ローラー９６により、排出口１００から前方に送り出される。
【００４４】
ここで、図２および図８ないし図１０を参照して、装置フレーム６４、アッパーフレーム１１および装置ハウジング６５について、詳細に説明する。図８は、プリンターユニット２の内部構造を示した分解斜視図である。
図８に示すように、装置フレーム６４は、プリンターユニット２の各部を支持するフレームであり、一体成形された樹脂で構成されている。具体的には、装置フレーム６４は、ベースフレーム部６４ａと、ベースフレーム部６４ａに立設され、搬送部６１の各構成部材およびガイドフレーム７１を両側で支持する左右一対のサイドフレーム部６４ｂと、ベースフレーム部６４ａの前部において、スキャナーユニット３の前部を支持すると共に操作部６３を支持する左右一対のフロントフレーム部６４ｃと、ベースフレーム部６４ａの後部において、ヒンジ部４を介してプリンターユニット２を開閉自在に支持する左右一対のリアフレーム部６４ｄと、を備えている。
【００４５】
各フロントフレーム部６４ｃは、スキャナーユニット３の前部を受ける一対の補強支持部１３５と、操作部６３を傾動自在に支持する一対の操作支持部１３６と、を有している。各補強支持部１３５は、装置ハウジング６５の上面近傍まで上方に延在し、その上面に、上記のスキャナーユニット３の着座突部２４を直接受ける着座受け部１５５を有している。各着座受け部１５５は、着座突部２４と相補的形状となるように逆円錐台形状に凹設して形成されており、各着座突部２４は、これに嵌合するように着座する。また、一対の補強支持部１３５における一対の着座受け部１５５は、一方が平面視円形に形成され、他方が左右に延在した平面視角丸長方形に形成されている（図６参照）。これにより、着座突部２４同士の位置精度の誤差を許容している。
【００４６】
リアフレーム部６４ｄは、ヒンジ部４の一部を構成する一対の下ヒンジ部１８１（第１取付部）と、一対の下ヒンジ部１８１および後述のスキャナーユニット３側の一対の上ヒンジ部１８２をそれぞれ連結する一対のヒンジピン１８３と、を有している。
【００４７】
図２に示すように、装置ハウジング６５は、プリンターユニット２の左右の外装を構成する左右一対のサイドハウジング１６１と、上記のガイドフレーム７１の位置において、一対のサイドハウジング１６１を連結する連結ハウジング１６２と、を備えている。各サイドハウジング１６１は、前面、左右面および後面を覆う平面視横「Ｕ」字状の側面プレート片１６３と、上面を覆う上プレート片（プレート片）１６４と、で一体に形成されている。すなわち、一対のサイドハウジング１６１を、左右から装置フレーム６４に取り付ける構成となっている。２つの上プレート片１６４は、平面視「コ」字状に形成され、且つ複合機１の幅方向（Ｙ軸方向）に相互に離間して配設されている。すなわち、一対の上プレート片１６４および連結ハウジング１６２に囲まれた領域によって、装置ハウジング６５の上面開口部１０が形成されている。また、連結ハウジング１６２の後ろ側には、後部開口部９が形成されている。後部開口部９は、用紙トレイ９１と供して記録媒体を装置内部に供給する用紙開口部と、用紙開口部の左右両側に連なり、ヒンジ部４を配設するための一対のヒンジ開口部と、で構成している。なお、請求項にいう上プレートは、２つの上プレート片１６４により構成されている。
【００４８】
各上プレート片１６４には、アッパーフレーム１１の許容凹部２３に対応し、これに相補的形状に凹設された着座凹部１７１と、着座凹部１７１において一対の着座突部２４に対応し形成した一対の着座開口部１７２と、が形成されている。また、各着座開口部１７２越しに、上記の補強支持部１３５に形成された着座受け部１５５が開口している。そして、各着座開口部１７２は、各着座受け部１５５に対応した平面視形状、すなわち一方を平面視円形に、他方を平面視角丸長方形に形成されている。
【００４９】
図９は、ヒンジ部４周りを示した側方視断面図である。図１０は、スキャナーユニット３の閉塞状態における着座突部２４周りを示した図である。図９および図１０に示すように、アッパーフレーム１１には、上ケース１７に一体に形成された左右一対の上ヒンジ部（第２取付部）１８２（図９参照）と、上述したように、下ケース１６における許容凹部２３の下面に突設された左右一対の着座突部２４（図１０参照）と、が配設されている。一対の上ヒンジ部１８２は、上記一対の下ヒンジ部１８１および一対のヒンジピン１８３と供して、プリンターユニット２とスキャナーユニット３とを回動自在に連結するヒンジ部４を構成している。
【００５０】
一対の着座突部２４は、移動するセンサーキャリッジ３２の重心軌跡の真下においてＹ軸方向に並列して配設されており、各着座突部２４は、逆円錐台形状に形成されると共に、下ケース１６と一体に形成されている。すなわち、スキャナーユニット３を閉塞した状態で、各着座突部２４は、上プレート片１６４の着座開口部１７２を介して、フロントフレーム部６４ｃ（補強支持部１３５）の着座受け部１５５に嵌合する。
【００５１】
図１０に示すように、スキャナーユニット３の閉塞状態において、スキャナーユニット３をプリンターユニット２上に載置する際、一対の着座突部２４が、一対の着座開口部１７２を挿通して、一対の補強支持部１３５の各着座受け部１５５に着座される。すなわち、一対の着座突部２４が一対の補強支持部１３５によって直接支持される。このように、スキャナーユニット３の着座突部２４を補強支持部１３５が受け、これを直接支持するようにしているため、ヒンジ部４を支点としたスキャナーユニット３のモーメント荷重（スキャナーユニット３の重量）を、補強支持部１３５によって直接支持することができる。よって、スキャナーユニット３を良好に支持することができる。また、着座突部２４が上プレート片１６４に形成された着座開口部１７２に挿通されるため、上プレート片１６４にスキャナーユニット３のモーメント荷重が作用することがなく、上プレート片１６４に撓みが生ずることがない。
【００５２】
次に図１１ないし図１３を参照して、複合機１の第２実施形態について、第１実施形態の複合機１と異なる部分のみ説明する。この実施形態における着座突部２４は、第１実施形態と同様、下ケース１６と一体に形成され、且つ逆円錐台形に形成されている。一方、図１１および図１３に示すように、各上プレート片１６４は、着座開口部１７２に代えて、着座部２１１を有している。また、各着座部２１１は、着座した着座突部２４を囲む環状突部２１２を有している。この場合、図１２および図１３に示すように、各補強支持部１３５は、各着座部２１１の下側に配設されており、その上面に、各上プレート片１６４を下側から支えるように接触する突当部２１３が形成されている。
すなわち、各補強支持部１３５は、各上プレート片１６４の撓みを阻止するように配設（形成）されている。このように、スキャナーユニット３のモーメント荷重の支持構造として、補強支持部１３５が、上プレート片１６４の撓みを阻止するように、上プレート片１６４を支えるため、上プレート片１６４の撓みを有効に防止することができる。これにより、スキャナーユニット３を、プリンターユニット２の上プレート片１６４の部分で良好に支持することができる。
【００５３】
なお、本実施形態においては、着座突部２４が、下ケース１６の許容凹部２３の最下部から飛び出す（突出する）ように形成されており、この突出部分で着座する構成であったが、許容突部２３の最下部そのものを着座突部２４とし、すなわち、突出部分を省略して、許容突部２３の最下部の下面で直接着座する構成であっても良い。ただし、本実施形態のように許容凹部２３の最下部から着座突部２４を飛び出して設けることで、着座突部２４を削る方法によって高さの調整を行うことができ、高さの微調整を簡単に行うことが可能となる。
【００５４】
また、着座部２１１について、本実施形態では上プレート片６４から飛び出す（突出する）環状突部２１２が設けられているが、このような飛び出す環状突部２１２を設けない構成であってもよい。さらには、本実施形態では、補強支持部１３５から突当部２１３が飛び出し（突出し）ているが、この突当部２１３についても必ずしも必要ではなく、突当部２１３を省略し、補強支持部１３５そのもの（その上面）で、直接支持する構成であってもよい。ただし、突当部２１３を設けない場合、上プレート片１６４との接触面が広くなるので、それだけ部品精度が要求されるのに対し、突当部２１３を設けておけば、上述した着座突部２４と同様に、突当部２１３を削る方法によって高さの調整を行うことができるため、高さの微調整を容易に行うことが可能となる。
【００５５】
以上の各実施形態の構成によれば、上記のようなモーメント荷重の支持構造を用いることで、上プレート片１６４に撓みが生ずることなくスキャナーユニット３を良好に支持することができる。よって、上プレート片１６４の撓みによる内部装置との干渉を考慮する必要がなく、装置全体の大型化を抑制することができる。
【００５６】
また、補強支持部１３５を装置フレーム６４の一部で構成し、ひいては、装置フレーム６４を一体成形された樹脂で構成することにより、部品点数を削減することできると共に、補強支持部１３５が受けた力を適切に逃がすことができる。
【００５７】
さらに、ヒンジ部４の軸側（下ヒンジ部１８１およびヒンジピン１８３）を装置フレーム６４と一体に形成することにより、ヒンジ部４が受けた力を適切に逃がすことができる。
【００５８】
また、着座突部２４を、センサーキャリッジ３２の重心軌跡の真下に配設することにより、プリンターユニット２において、最も剛性が要求される部分を直接支持することになり、プリンターユニット２の無用な変形を有効に防止することができる。なお、上記実施形態では明記しなかったが、センサーキャリッジ３２の重心とは、搭載した各部材を含むセンサーキャリッジ３２の重さの重心である。
無論、搭載した部材やセンサーキャリッジ３２のうち、センサーキャリッジ３２の重さに大部分を占める部材（例えば、センサーモーター）があれば、その部材の重心軌跡の真下に着座突部２４を配設する構成であっても良い。
【００５９】
また、第１実施形態の構成によれば、着座突部２４を、逆円錐台形状に形成し、着座受け部１５５を、着座突部２４に対し相補的形状に形成することにより、スキャナーユニット３の閉塞動作において、着座突部２４が着座受け部１５５にガイドされつつ嵌合するため、プリンターユニット２に対し、スキャナーユニット３が位置決め状態で閉塞され、且つ閉塞状態のスキャナーユニット３における前後方向および幅方向の位置ズレ（ガタつき）を有効に防止することができる。
【００６０】
さらに、第１実施形態の構成によれば、２つの上プレート片１６４に対応し、着座開口部１７２、補強支持部１３５および着座突部２４を一対設けることで、一対の着座突部２４およびこれが挿通する一対の着座開口部１７２の協働により、スキャナーユニット３を介して、両上プレート片１６４の前後方向および幅方向に位置が規制されるため、熱変形や外力等により、両上プレート片１６４の相互の位置が広がったり、狭まったりする不具合を抑制することができる。
【００６１】
また、第２実施形態の構成によれば、環状突部２１２を有することにより、環状突部２１２によって、着座突部２４の上プレート片１６４上の位置が規制されるため、スキャナーユニット３における前後方向および幅方向の位置ズレ（ガタつき）を防止することができる。
【００６２】
なお、上記各実施形態においては、幅方向（ヒンジ部４の軸方向）に並列して、着座突部２４を一対配設する構成であったが、これらを１個のみ配設する構成であっても良いし、３個以上有する構成であっても良い。かかる場合、これに対応した数の補強支持部１３５、着座開口部１７２や着座部２１１を配設する。
【００６３】
また、上記各実施形態においては、補強支持部１３５を、装置フレーム６４の一部で構成するものであったが、装置フレーム６４とは別体の補強支持部１３５を用いる構成であっても良い。
【００６４】
また、上記各実施形態においては、プリンターユニット２とスキャナーユニット３とを備えた複合機１に、本発明を適用したが、第１の装置および第２の装置を備えた複合装置であれば、これに限るものではなく、例えば、複写機とファクシミリとを備えた複合装置に、本発明を適用しても良い。
【００６５】
また、上記各実施形態においては、着座突部２４を下ケース１６と一体に形成する構成であったが、着座突部２４を弾性体（例えば弾性ゴム体）で構成しても良い。
【符号の説明】
【００６６】
１：複合機、２：プリンターユニット、３：スキャナーユニット、４：ヒンジ部、２４：着座突部、３２：センサーキャリッジ、４１：イメージセンサー、６４：装置フレーム、６５：装置ハウジング、１３５：補強支持部、１５５：着座受け部、１６４：上プレート片、１７２：着座開口部、１８１：下ヒンジ部、１８２：上ヒンジ部、１８３：ヒンジピン、２１１：着座部、２１２：環状突部。
【図１】
2012066758.tif 000003
【図２】
2012066758.tif 000004
【図３】
2012066758.tif 000005
【図４】
2012066758.tif 000006
【図５】
2012066758.tif 000007
【図６】
2012066758.tif 000008
【図７】
2012066758.tif 000009
【図８】
2012066758.tif 000010
【図９】
2012066758.tif 000011
【図１０】
2012066758.tif 000012
【図１１】
2012066758.tif 000013
【図１２】
2012066758.tif 000014
【図１３】
2012066758.tif 000015
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
媒体に記録を実行する記録部を有する記録装置と、
ヒンジ部を介して、前記記録装置の上部を開閉自在に設けられる、画像を読み取る画像読取部を有する画像読取装置と、
前記画像読取装置に設けられ、当該画像読取装置が閉じた状態において、前記記録装置のハウジングに当接する第１の当接部と、
前記記録装置のハウジングに設けられ、前記画像読取装置が閉じた状態において、前記第１の当接部と当接する第２の当接部と、
前記記録部を保持する装置フレームに設けられ、前記第２の当接部の下部において前記記録装置のハウジングと当接する第３の当接部と、を有していることを特徴とする複合装置。
【請求項２】
前記画像読取装置は、画像を読み取るためのセンサーと、
前記センサーを積載し移動する画像読取装置用キャリッジと、を有し、
前記画像読取装置が閉じた状態において、前記第１の当接部は、前記画像読取装置用キャリッジの移動領域の下に配設されることを特徴とする請求項１に記載の複合装置。
【請求項３】
前記ハウジングは、前記記録装置の幅方向において離間して配設した２つのプレート片を備え、
前記第２の当接部は、前記２つのプレート片に対応して一対設けられ、前記第１の当接部および前記第３の当接部は、前記一対の第２の当接部に対応して一対設けられていることを特徴とする請求項１に記載の複合装置。
【請求項４】
前記記録の実行を指示する情報入力部と、
前記装置フレームに設けられ、前記情報入力部を架け渡して、前記情報入力部を前記装置フレームに対し支持する対の支持部と、を備え、
前記第３の当接部は、前記支持部から延設された箇所に設けられることを特徴とする請求項１に記載の複合装置。
【請求項５】
前記ハウジングの第２の当接部の周囲は、当接した前記第１の当接部を囲む形状を有していることを特徴とする請求項１に記載の複合装置。
【請求項６】
前記画像読取装置用キャリッジは、モーターを搭載し、当該モーターを収容する収容部を備え、前記画像読取装置が閉じた状態において、前記第１の当接部は、前記収容部の下に配設されることを特徴とする請求項２に記載の複合装置。
【請求項７】
前記記録装置は、記録が実行された媒体を搬送する搬送部と、
記録を実行する記録ヘッドと、
前記記録ヘッドを積載し移動する記録装置用キャリッジと、を有し、
前記画像読取装置用キャリッジの移動領域と、前記記録装置用キャリッジの移動領域は、媒体の搬送方向において離間していることを特徴とする請求項６に記載の複合装置。
【請求項８】
前記画像読取装置用キャリッジの移動領域は、前記記録装置用キャリッジの移動領域よりも媒体の搬送方向において下流側であることを特徴とする請求項７に記載の複合装置。
【請求項９】
媒体に記録を実行する記録部を有する記録装置と、
ヒンジ部を介して、前記記録装置の上部を開閉自在に設けられる、画像を読み取る画像読取部を有する画像読取装置と、
前記記録装置の前記記録部を保持する装置フレームと、
前記画像読取装置に設けられ、当該画像読取装置が閉じた状態において、前記装置フレームに当接する第４の当接部と、
前記記録装置のハウジングに設けられ、前記画像読取装置が閉じた状態において、前記第４の当接部が挿通される開口部と、
前記装置フレームに設けられ、前記第４の当接部と当接する第５の当接部と、
を有していることを特徴とする複合装置。
【請求項１０】
前記画像読取装置は、画像を読み取るためのセンサーと、
前記センサーを積載し移動する画像読取装置用キャリッジと、を有し、
前記画像読取装置が閉じた状態において、前記第４の当接部は、前記画像読取装置用キャリッジの移動領域の下に配設されることを特徴とする請求項９に記載の複合装置。
【請求項１１】
前記ハウジングは、前記記録装置の幅方向において離間して配設した２つのプレート片を備え、
前記開口部は、前記２つのプレート片に対応して一対設けられ、前記第４の当接部および前記第５の当接部は、前記一対の開口部に対応して一対設けられていることを特徴とする請求項９に記載の複合装置。
【請求項１２】
前記記録の実行を指示する情報入力部と、
前記装置フレームに設けられ、前記情報入力部を架け渡して、前記情報入力部を前記装置フレームに対し支持する対の支持部と、を備え、
前記第５の当接部は、前記支持部から延設された箇所に設けられることを特徴とする請求項９に記載の複合装置。
【請求項１３】
前記第４の当接部と前記第５の当接部は、相補的形状に形成されていることを特徴とする請求項９に記載の複合装置。
【請求項１４】
前記画像読取装置用キャリッジは、モーターを搭載し、当該モーターを収容する収容部を備え、前記画像読取装置が閉じた状態において、前記第４の当接部は、前記収容部の下に配設されることを特徴とする請求項１０に記載の複合装置。
【請求項１５】
前記記録装置は、記録が実行された媒体を搬送する搬送部と、
記録を実行する記録ヘッドと、
前記記録ヘッドを積載し移動する記録装置用キャリッジと、を有し、
前記画像読取装置用キャリッジの移動領域と、前記記録装置用キャリッジの移動領域は、媒体の搬送方向において離間していることを特徴とする請求項１４に記載の複合装置。
【請求項１６】
前記画像読取装置用キャリッジの移動領域は、前記記録装置用キャリッジの移動領域よりも媒体の搬送方向において下流側であることを特徴とする請求項１５に記載の複合装置。
【国際調査報告】
2012066758.tif 000016
2012066758.tif 000017